(57)【要約】    【課題】      静止画や動画などの画像の切り替わり目に画像処理を行うことなく、簡易な画像特殊効果（フェードイン、フェードアウト）を実現できる携帯端末装置を提供すること。    【解決手段】  透過型のＬＣＤ３１に表示する画像を切り替える際に、画像を切り替えるタイミングの前では、バックライト４１の輝度が徐々に点灯状態から消灯状態に変化し、画像を切り替えるタイミングの後では、バックライト４１の輝度が徐々に消灯状態から点灯状態に変化するよう、ＬＣＤ３１に対する表示制御とバックライト４１に対する輝度制御との同期をとる。  【選択図】      図４
2006084577.tif 000002
【特許請求の範囲】
【請求項１】
透過型の液晶ディスプレイと、
前記液晶ディスプレイの背面から光を照らすバックライトと、
前記液晶ディスプレイへの画像表示を制御する表示制御手段と、
前記バックライトの輝度を制御する輝度制御手段と、
前記液晶ディスプレイに表示する画像を切り替える際に、画像を切り替えるタイミングの前後において前記バックライトの輝度が変化するよう、前記表示制御手段および前記輝度制御手段を同期させる同期制御手段と、
を有することを特徴とする携帯端末装置。
【請求項２】
前記同期制御手段は、
画像を切り替えるタイミングの前では、前記バックライトの輝度が徐々に点灯状態から消灯状態に変化し、画像を切り替えるタイミングの後では、前記バックライトの輝度が徐々に消灯状態から点灯状態に変化するよう、前記表示制御手段および前記輝度制御手段に対する同期制御を行う、
ことを特徴とする請求項１記載の携帯端末装置。
【請求項３】
前記輝度制御手段によるバックライト輝度制御におけるバックライト輝度変化速度は、ユーザ操作により任意に設定可能である、ことを特徴とする請求項１記載の携帯端末装置。
【請求項４】
透過型の液晶ディスプレイと、
前記液晶ディスプレイの背面から光を照らすバックライトと、
前記液晶ディスプレイへの画像表示を制御する表示制御手段と、
前記バックライトの輝度を制御する輝度制御手段と、を有する携帯端末装置において画像特殊効果表示を行う方法であって、
前記液晶ディスプレイに表示する画像を切り替える際に、画像を切り替えるタイミングの前では、前記バックライトの輝度が徐々に点灯状態から消灯状態に変化し、画像を切り替えるタイミングの後では、前記バックライトの輝度が徐々に消灯状態から点灯状態に変化するよう、前記表示制御手段による表示制御と前記輝度制御手段による輝度制御との同期をとる、
ことを特徴とする携帯端末装置における画像特殊効果表示方法。
【発明の詳細な説明】
【技術分野】
【０００１】
本発明は、携帯端末装置に関し、特に、画像特殊効果表示が可能な携帯端末装置に関する。
【背景技術】
【０００２】
従来の携帯端末装置（以下単に「携帯端末」ともいう）のバックライト制御方法として、例えば、特許文献１に記載されているものがある。これは、バックライトの点灯輝度を制御し、バックライトを点灯状態から徐々に暗くしていき消灯させる方法であって、バックライトに流すバックライト電流を所定周期のパルス列に基づきＯＮ―ＯＦＦさせると共に、そのパルス列のパルス幅を所定の時間特性に従い徐々に減少させた後パルス幅をゼロとなるようにしてバックライトの点灯輝度を制御するものである。
【０００３】
図５は、ユーザが見て認識する表示画面におけるバックライト制御と画像特殊効果の画像処理を施した画像表示の動作の一例を示す図である。図５に示すように、従来、携帯端末においては、例えば、ＪＡＶＡ（登録商標）による画像特殊効果が可能である。従来のバックライト輝度制御は、表示画面のＯＮ／ＯＦＦを目的として制御されている。バックライト輝度制御は、表示画像の開始のタイミングｔ0で点灯し、表示画面を消すまで点灯する。また、画像特殊効果の画像処理を行うために、画像１と画像２の画像表示切り替えのタイミングｔ１の前後のタイミングｔ１ａからタイミングｔ１ｂで、画像特殊効果の画像処理を施した画像Ａ（フェードイン）を作成し、背面からバックライトで照らされたＬＣＤに描画することで、ユーザは画像特殊効果を有する表示画面を見ることができる。画像特殊効果を有する画像Ａ（フェードイン）を作成するために、制御部は、ＣＰＵの処理負荷や画像処理用ワークメモリを必要とする。
【特許文献１】特開２００１−８６２３２号公報
【発明の開示】
【発明が解決しようとする課題】
【０００４】
しかしながら、従来の携帯端末においては、アプリケーションの高機能化によりＣＰＵの処理負荷が重く、ワークメモリを大量に使用するアプリケーションが多くなっているため、画像特殊効果の実現のために画像処理を行うと、さらにＣＰＵの処理負荷やワークメモリを必要とするという問題がある。
【０００５】
本発明は、かかる点に鑑みてなされたものであり、静止画や動画などの画像の切り替わり目に画像処理を行うことなく、簡易な画像特殊効果（フェードイン、フェードアウト）を実現することができる携帯端末装置を提供することを目的とする。
【課題を解決するための手段】
【０００６】
本発明の携帯端末装置は、透過型の液晶ディスプレイと、前記液晶ディスプレイの背面から光を照らすバックライトと、前記液晶ディスプレイへの画像表示を制御する表示制御手段と、前記バックライトの輝度を制御する輝度制御手段と、前記液晶ディスプレイに表示する画像を切り替える際に、画像を切り替えるタイミングの前後において前記バックライトの輝度が変化するよう、前記表示制御手段および前記輝度制御手段を同期させる同期制御手段と、を有する構成を採る。
【発明の効果】
【０００７】
本発明によれば、静止画や動画などの画像の切り替わり目に画像処理を行うことなく、簡易な画像特殊効果（フェードイン、フェードアウト）を実現することができる。
【発明を実施するための最良の形態】
【０００８】
以下、本発明の実施の形態について、図面を参照して詳細に説明する。
【０００９】
図１は、本発明の一実施の形態に係る携帯端末装置の構成を示すブロック図である。
【００１０】
図１に示す携帯端末１は、この携帯端末全体の制御を司る制御部１０と、制御部１０を動作させるプログラムや動作モードなどを記憶する内部メモリ２０と、静止画や動画像の情報を記憶する外部記憶部２１と、ユーザが画像表示を見るための表示画面である透過型のＬＣＤ（Liquid Crystal Display：液晶ディスプレイ）３１と、ＬＣＤ３１を制御するＬＣＤドライバ３０と、透過型のＬＣＤ３１の背面から光を照らすバックライト４１と、バックライト４１を駆動するバックライト点灯回路４０と、携帯端末１の各種設定を行うためにマンマシンインタフェースであるキーを有する操作部６０とを有する。
【００１１】
制御部１０は、ＬＣＤドライバ３０を通じてＬＣＤ３１へ描画するための表示制御を行う表示制御部１１と、バックライト点灯回路４０を通じてバックライト４１のＯＮ／ＯＦＦや輝度制御を行うバックライト輝度制御部１２と、画像特殊効果を実現するために表示制御部１１とバックライト輝度制御部１２の２つの制御部を同期させる同期制御部１３とで構成されている。
【００１２】
表示画面５０は、ＬＣＤ３１と、ＬＣＤ３１の背面から光を照らすバックライト４１とで構成されている。ユーザが視覚的に認識できるのは、この表示画面５０であり、上記のように表示画面５０がＬＣＤ３１とバックライト４１で構成されているため、ユーザは表示画面の内容を認識することができる。
【００１３】
表示の動作モードには、画像特殊効果を伴わない通常の画像表示を行う通常画像表示モードと、画像特殊効果を伴う画像表示を行う特殊効果画像表示モードとがある。ユーザは、操作部６０を通じてキー入力を行うことにより、表示の動作モードを通常画像表示モードから特殊効果画像表示モードに設定したり（逆も同様）、バックライト輝度変化速度を任意の速度に設定したりする操作を行うことができる。
【００１４】
次いで、上記構成を有する携帯端末１の画像表示動作について説明する。
【００１５】
まず、表示画面５０における通常画像表示の動作について、図２を用いて説明する。
【００１６】
ＬＣＤ３１に描画するとき、表示制御部１１は、まず、ＬＣＤ３１に画像１を描画する。このとき、ＬＣＤ３１は透過型ＬＣＤであるため、ＬＣＤ３１に画像が描画されても背面からの光がなければ、ユーザはその描画状態をほとんど認識することができない。そこで、表示画面５０の表示開始のために、バックライト輝度制御部１２は、ｔ0のタイミングで、バックライト４１を点灯状態にする。これにより、ＬＣＤ３１の背面から光が入り、ユーザは表示画面５０の画像を認識することができる。
【００１７】
通常画像表示においては、バックライト輝度制御部１２は、バックライトの輝度を徐々に変化させることなくＯＮ／ＯＦＦを目的とした制御を行う。このため、ユーザからは、表示画面５０が一瞬に表示されたように見える。一度ｔ0のタイミングでバックライト４１を点灯状態にした後は、バックライト輝度制御部１２は、表示画面５０を消すまで、バックライト４１を一定輝度の点灯状態とし、表示制御部１１は、画像１、画像２、画像３、画像４を順にＬＣＤ３１に描画することで、表示画面５０に画像表示する。
【００１８】
次に、表示画面５０における特殊効果画像表示の動作について、図３および図４を用いて説明する。
【００１９】
表示画面５０に特殊効果画像表示を行わせるとき、ＬＣＤ３１は、従来通り、通常画像表示を描画し、通常画像表示の画像に同期させて、バックライト輝度制御部１２がバックライト４１の輝度を制御することで、画像特殊効果を実現する。
【００２０】
図４を用いて、図３における画像１と画像２の切り替わり目の通常画像表示とバックライト４１の動作を説明する。
【００２１】
ＬＣＤ３１に通常画像表示を描画し、t１ａからｔ１のタイミングでバックライト４１の輝度を徐々に落として消灯し、ｔ１のタイミングで通常画像表示を画像１から画像２に切り替え、ｔ１からｔ１ｂのタイミングでバックライト４１の輝度を徐々に上げて点灯する。これにより、表示画面５０は、ｔ１ａからｔ１までは、画像特殊効果であるフェードアウトに見える画像Ａ１となり、ｔ１からｔ１ｂまでは、画像特殊効果であるフェードインに見える画像Ａ２となる。したがって、ＣＰＵの処理負荷や画像処理用ワークメモリが不要で簡易な画像特殊効果を実現することができる。
【００２２】
バックライト４１の輝度を徐々に変化させる方法としては、例えば、バックライト輝度制御部１２が、ソフトウエアによる制御により、周期的にバックライト４１を点灯させる電流の設定値を変化させる方法や、バックライト点灯回路４０にハードウエアのタイマを設けて目標値を設定することにより、以降、目標設定値である電流値の輝度になるまでハードウエアで周期的に変化させる方法などがある。
【００２３】
このように、本実施の形態によれば、バックライト４１を消灯状態から徐々に点灯状態へ、または、点灯状態から徐々に消灯状態へと輝度を制御する手段と、透過型ＬＣＤ３１への画像表示を制御する手段と、これらを同期制御する手段とを設けて、バックライト４１の輝度制御と透過型ＬＣＤ３１の表示制御のタイミングを合わせる、つまり、両制御の同期をとることにより、画像特殊効果（フェードイン、フェードアウト）を実現するようにしたため、簡易的な画像特殊効果を、ＣＰＵの処理負荷なく、かつ、画像処理用ワークメモリも不要とし、ＣＰＵの処理性能が低い携帯端末でも、実現することができる。
【産業上の利用可能性】
【００２４】
本発明に係る携帯端末装置は、静止画や動画などの画像の切り替わり目に画像処理を行うことなく、簡易な画像特殊効果（フェードイン、フェードアウト）を実現することができるという効果を有し、表示画面として透過型ＬＣＤを備えた簡易画像特殊効果付き携帯端末装置等として有用である。
【図面の簡単な説明】
【００２５】
【図１】本発明の一実施の形態に係る携帯端末装置の構成を示すブロック図
【図２】本実施の形態に係る携帯端末装置における通常画像表示の動作を説明するための図
【図３】本実施の形態に係る携帯端末装置における特殊効果画像表示の動作を説明するための図
【図４】図３の要部を詳細に示す図
【図５】従来のバックライト制御と画像特殊効果の画像処理を施した画像表示の動作の一例を示す図
【符号の説明】
【００２６】
１  携帯端末
１０  制御部
１１  表示制御部
１２  バックライト輝度制御部
１３  同期制御部
２０  内部メモリ
２１  外部記憶部
３０  ＬＣＤドライバ
３１  ＬＣＤ
４０  バックライト点灯回路
４１  バックライト
５０  表示画面
６０  操作部
【図１】
2006084577.tif 000003
【図２】
2006084577.tif 000004
【図３】
2006084577.tif 000005
【図４】
2006084577.tif 000006
【図５】
2006084577.tif 000007